(57)【要約】【課題】従来の釣糸では、水流により支持糸が大きな抵抗を受け、支持糸に結合された誘導体が深く浸水できなく、誘導体に掛かる負荷により疲れ水流に沿って浮上して誘導体の作用をしない問題があった。本発明では、誘導体に掛かる負荷を少なくすることを目的にし、水流抵抗を少なくして、線径を太くできることで、強度を高く、伸びを少なくして、魚信の伝播を高める釣糸を提供する。【解決手段】支持糸３・３ａを引張り糸２に結束させて、支持糸３の表面に接する水流が、支持糸３の裏側に流線１２を導く抗力除去手段を設ける。抗力除去手段は、支持糸３の表面形状を複数個の凹部５にして、カルマンの渦列１１を発生させる。支持糸３ａの裏側面にできる負圧１０は、支持糸３ａを中空にして、上端を水面上に下端を誘導体４に密閉して、複数個の透孔７を設け大気圧の正圧９を噴出して除去する。【選択図】  図１
2005270086.tif 000002
【特許請求の範囲】
【請求項１】
釣竿より降下させる引張り糸と、水中を流動する支持糸と、支持糸に自在に結合された誘導体と、による釣具において、
支持糸を引張り糸に結束させて、支持糸の表面に接する水流が、支持糸の裏側に流線を導く抗力除去手段を設けたことを特徴とする釣糸。
【請求項２】
支持糸の表面形状は、凹部を複数個で覆われている抗力除去手段であることを特徴とする請求項１記載の釣糸。
【請求項３】
支持糸の断面は、中空にして裏側面に複数個の透孔を設けている抗力除去手段であることを特徴とする請求項１記載の釣糸。
【発明の詳細な説明】
【技術分野】
【０００１】  本発明は、水中に吊り下げた誘導体が水流に対する糸の抵抗を少なくする釣糸に関するものである。
【背景技術】
【０００２】  従来の釣糸は、円柱形状にして釣竿の先端に結束し、水中に吊り下げる錘と、錘の付近に釣針を配置して、魚を釣り上げる釣具に使用されるものであり、釣針には囮鮎を誘導体にして釣糸が水流の抵抗を受け牽引するものである。【０００３】  釣糸の材質は、主にナイロン製の単線が使用されている。ナイロン製は、線径を太くしないと、伸びと強度に弱いので流速が速いところの採用できなく、引張り強度が高く伸びが少ない金属製の糸を採用することが多くなっている。金属製の釣糸は、ナイロン製に比べ線径を細くして、水流抵抗を少なくしている。また、より引張り強度を増すようにした特許文献１のように、複数本の細糸を撚り合わせて１本に形成している。【０００４】
【特許文献１】特開平６−７０６１号  公報
【発明の開示】
【発明が解決しようとする課題】
【０００５】  しかし、釣糸は、引張り強度・伸びの他に水流抵抗があり、流速が速い水流では、非常に大きい割合のものである。水流抵抗は、釣糸の線径が細いほど、少なくすることができるが、細くすると強度が弱くなり、岩に接触して切断しやすくなり、金属製のものにしても、高価になり細くするのに限界があり、伸び率が高くなり手ごたえを鈍らす欠点が出た。また、水流抵抗が高いと、誘導体に負担を掛けることになり、疲れを早め、深く潜水することも流れに対して進行することもできなくなり、釣り人を満足させることができない問題があった。【０００６】  本発明は、線径を細くしなくても、水流抵抗を小さくすることができ、引張り強度も強く、伸びも小さくすることができる水中にある糸である。該糸は、水中にあるために表面を流れる水が形成する流線により、水流抵抗を抑える糸の表面に設けた抗力除去手段の構成である。
【課題を解決するための手段】
【０００７】  請求項１の発明では、釣竿より降下させる引張り糸と、水中を流動する支持糸と、支持糸に自在に結合された誘導体と、による釣具において、支持糸を引張り糸に結束させて、支持糸の表面に接する水流が、支持糸の裏側に流線を導く抗力除去手段を設ける構成とする。【０００８】  請求項２の発明では、支持糸の表面形状は、半球状・円錐・楕円・台形等の大小の凹部を複数個で覆われている抗力除去手段である構成とする。【０００９】  請求項３の発明では、支持糸の断面は、中空にして裏側面に複数個の透孔を設け、上部を水上に露出している構成とする。【００１０】  請求項１の構成では、支持糸に掛かる抗力を少なくするので、誘導体の負荷を小さくして、誘導体の稼動を高め、支持糸の線径を太い状態で維持できる作用がある。
請求項２の構成では、支持糸の表面の凹部を流れる水がカルマン渦列を形成して、線径の裏側に流線を導き抗力消す作用がある。【００１１】  請求項３の構成では、支持糸の裏側に発生する負圧を水上に露出した中空管から空気が入り、負圧であるために透孔から噴出させることで、負圧を正圧にするので抗力は減少させる作用がある。
【発明の効果】
【００１２】  請求項１の発明では、誘導体の耐久性を高めることができるので、長時間稼動することができ、支持糸を極細にすることがないので引張り力を強くして、伸び率を少なくするために釣竿に魚信の伝播をよくする効果がある。【００１３】  請求項２の発明では、支持体の周面に渦列を発生させることで支持糸の裏側に流線を導くことができ、線径を太い状態でも、引張り強さを大きく、伸びを小さくする効果がある。
請求項３の発明では、支持糸の裏側に発生する負圧を大気圧を噴出させることで、支持糸の方向転換と抗力低下をすることができる効果がある。
【発明を実施するための最良の形態】
【００１４】  本発明は、河川・海岸・トロリー等の釣具であり、釣糸の先端に結合される釣針を誘導する囮鮎・ルアーに掛かる負荷を小さくして、水中深く浸水して水流に打ち勝って前進する誘導体４にすることができる釣糸である。
実施形態として本発明を河川の鮎釣の場合で、一例を説明するが、これに限定するものではなく、海の船上からトローリングでも、本発明の支持糸３を採用すれば、ルアーの作用で海中深く沈みこみ釣針に魚を掛けることができる。【００１５】  （第１実施形態）
図１は、釣り人が釣竿１を持ち、釣竿から引張り糸２を吊り下げ河川の水流１３に潜水している。引張り糸２は、強くて伸びの少ないものでなければ、釣竿１に魚信を伝播しやすくする条件を満たすために、線径を太くしている。釣糸は、線径が太くなると水中の流線１２の速度が速いほど、大きな抵抗を受けることになる。この水流抵抗は、流線１２が直接当たる抵抗と、流線１２の流れが引張り糸の裏側に流れる方向に引く抗力８とが発生する。【００１６】  引張り糸２を水中に入れると、前記水流抵抗により、流線１２の速度により流されるため、水流抵抗の少ない支持糸３を結合して、水中部分を支持糸３により誘導体４に接続している。誘導体４は流線１２に向かい進行することになり、体力の時間を短くすることになる。水中の釣糸は、水流抵抗の小さい支持糸３を採用することで誘導体４が深く潜水することができ、体力の消耗を少なくできる。誘導体４は、流線１２に向って前後移動を繰り返し、その区画を縄張りとする魚を近づける動作をする。【００１７】  図２は、支持糸３を示し、材質をナイロン製・金属製にして、線径を強度が大きく引張り力のある太い径を採用している。表面は、水小さくするために、凹部５を複数に設けている。凹部５は、半球状・円錐・楕円の形状を窪みにして、同じ大きさにしてもよいし、大小の混合にしてもよい、また、複数の形状を組み合わせ大小の混合にしてもよい。凹部５の作用は、水中に入れたときに動作するもので、流線１２の速度が速くなるとより効果が出る。凹部５の付近には、流線１２によりカルマンの渦列１１が発生して支持糸３の裏側まで流線１２が回りこむことで、水流抵抗を小さくできる。【００１８】  図３は、支持糸３の平面断面図で、誘導体４が進行する牽引力と、流線１２が支持糸３の裏側に発生する抗力８による後退力を示している。抗力８は、支持糸３の両側を通過する流線１２が、支持糸３の裏側に負圧を発生させることにより、支持糸３の進行を妨げる方向に作用するため小さいほど進行するのによいことになる。
支持糸３の表面には、凹部５が複数形成されているので、カルマンの渦列１１が発生し、流線１２が支持糸３の裏側に巻き込むようになって、抗力８を小さくしてくれる。【００１９】  （第２実施形態）
図４は、中空管状の支持糸３ａを示すもので、支持糸３ａの上部を水面上から露出させて、大気中の空気を中空管６に送り込むことができる。支持糸３ａは、中空管６を大気圧にして、片側に透孔７を長手方向に複数個を配置している。透孔７は、一線上に配置してもよいが、幅を付けて大小の透孔７にしてもよい。【００２０】  透孔７は、支持糸３ａの中空管６から空気を吸い込み排出するもので、排出することで抗力８を少なくさせるものである。透孔７の排出は、負圧１０に大気圧が流れ込むことにより負圧１０が正圧９に変わることで、抗力８が小さくなり、水流抵抗を小さくすることになる。【００２１】  透孔７の位置は、流線１２の流れにより、排出される大気圧が流れ方向に導かれ、支持糸３ａが一定方向の下流に向けて排出することができるので、負圧１０を除去することができる。【００２２】  引張り糸２は、支持糸３ａに結合して先端部を水面上に露出させる位置まで引き上げている。誘導体４は、支持糸３ａの下部に結合され、中空管６を閉じた状態にして、回動自在にして進行可能にしている。【００２３】  図５は、支持糸３ａの作用を説明する断面図であり、流線１２が支持糸３ａの裏側の抗力８の作用をする負圧１０が進行を妨げている。負圧１０は、中空管６から正圧９を透孔７より排出することで、圧力が負から正に移り、抗力８が低下する。負圧１０が低下すると流線１２が支持糸３ａの裏側まで回りこみ抗力８は、小さくなり誘導体４の牽引力１４を有効に利用することができ、潜水を深めることができる。【００２４】  図６（ａ）は、抗力８が大きいと支持糸３０が流線１２に流され、水面近くまで上昇することになり水深Ｌに誘導体４が遊泳することになり、深く潜るには牽引力１４を必要として、囮鮎では体力を消耗して役目を果たすことができない状況である。【００２５】  図６（ｂ）は、支持糸３・３ａの採用により、抗力８が小さくなって誘導体４の牽引力１４が小さくなり、耐力をつけることにより、長時間の活動ができることになって、水深Ｒまで潜水するになり川底を遊泳して、他の魚を寄せ付ける仕事をすることになる。
【図面の簡単な説明】
【００２６】
【図１】  本発明を採用している釣具の使用状況を示す説明図。
【図２】  第１実施形態の支持糸と流線を示す斜視図。
【図３】  支持糸の抗力をカルマンの渦列の作用で流線のながれを示す断面図。
【図４】  第２実施形態の支持糸を示す斜視図。
【図５】  支持糸の抗力をカルマンの渦列の作用で流線のながれを示す断面図。
【図６】  （ａ）支持糸の水流抵抗が大きいときの、誘導体の進行位置を示す側面図。（ｂ）支持糸の水流抵抗が小さいときの、誘導体の進行位置を示す側面図。
【符号の説明】
【００２７】１    釣竿
２    引張り糸
３    支持糸
４    誘導体
５    凹部
６    中空管
７    透孔
８    抗力
９    正圧
１０  負圧
１１  カルマンの渦列
１２  流線
１３  水流
１４
１５
１６
Ｌ  従来の支持糸の水深
Ｒ  発明を採用した支持糸の水深
【図１】
2005270086.tif 000003
【図２】
2005270086.tif 000004
【図３】
2005270086.tif 000005
【図４】
2005270086.tif 000006
【図５】
2005270086.tif 000007
【図６】
2005270086.tif 000008